(57)【特許請求の範囲】
【請求項１】
機械室の床面に設けられ、既設の制御装置が取り付けられる既設プールボックスと、
前記既設プールボックスの底面よりも奥行き幅及び横幅が狭く設定された底面部と、当該底面部から垂直方向に延出され前記既設プールボックスの壁面よりも高さ方向の寸法が大きく設定された壁面部と、当該壁面部の端部から前記底面部に対して略水平方向に延出された装置取付面部とから成るアダプタプールボックスと、を備え、
前記既設の制御装置を新設の制御装置に変更する際には、前記既設のプールボックスの底面に前記アダプタプールボックスの底面部が固定され、前記アダプタプールボックスの装置取付面部に前記新設の制御装置が取り付けられる、
ことを特徴とする制御装置の据付構造。
【請求項２】
前記アダプタプールボックスの前記底面部は、前記新設の制御装置の奥行き幅及び横幅と略同一幅寸法を有し、前記壁面部は、当該底面部から垂直方向に延出された左右一対で構成され、前記装置取付面部は、各壁面部の端部から内方側に前記底面部に対して略水平に延出されて成る、
ことを特徴とする請求項１に記載の制御装置の据付構造。
【請求項３】
前記アダプタプールボックスの前記底面部の奥行き幅は、前記新設の制御装置の奥行き幅よりも狭い幅寸法を有し、前記壁面部は、当該底面部から垂直方向に延出された左右一対で構成され、前記装置取付面部は、各壁面部の端部から外方側に前記底面部に対して略水平に延出されて成る、
ことを特徴とする請求項１に記載の制御装置の据付構造。
【請求項４】
前記アダプタプールボックスの前記装置取付面部に装置設置台座が取り付けられ、当該装置設置台座を介して前記アダプタプールボックスに前記新設の制御装置が取り付けられる、
ことを特徴とする請求項１乃至請求項３の何れか１項に記載の制御装置の据付構造。
【請求項５】
機械室の床面に設けられ、既設の制御装置が取り付けられる既設プールボックスと、
前記既設プールボックス内の底面に固定される一対の台座で構成されたアダプタプールボックスとを備え、
前記各台座は、前記既設プールボックス内の底面に固定される底面部と、当該底面部から垂直方向に延出され前記既設プールボックスの壁面よりも高さ方向の寸法が大きく設定された壁面部と、当該壁面部の端部から前記底面部と同一方向に、かつ前記底面部に対して略水平方向に延出された装置取付面部とから成り、
前記既設の制御装置を新設の制御装置に変更する際には、各台座の前記壁面部を所定の間隔を置いて対向配置させた状態で前記底面部が前記既存プールボックス内の底面に固定されると共に、固定された各台座の各装置取付面に前記新設の制御装置が取り付けられる、
ことを特徴とする制御装置の据付構造。
【請求項６】
機械室の床面に設けられた既設プールボックスの底面よりも奥行き幅及び横幅が狭く設定され、かつ新設の制御装置の奥行き幅寸法よりも狭い幅を有する底面部と、
当該底面部の一端から垂直方向に延出され前記既設プールボックスの壁面よりも高さ方向の寸法が大きく設定される左右一対の壁面部と、
各壁面部の他端から外方側に前記底面部に対して略水平に延出される装置取付面部とから構成され、
前記既設プールボックスに取り付けられた既設の制御装置を新設の制御装置に変更する際には、前記底面部が前記既設のプールボックスの底面に固定されると共に、前記装置取付面部に前記新設の制御装置が取り付けられる、
ことを特徴とするアダプタプールボックス。
【発明の詳細な説明】
【技術分野】
【０００１】
本発明の実施形態は、既設の制御装置を新しい制御装置に更新する際の制御装置の据付構造及びこれに使用されるアダプタプールボックスに関する。
【背景技術】
【０００２】
エレベータの制御装置の場合を例に制御装置の据付構造について説明する。一般に、制御装置の据え付けは、機械室床の上に制御装置の配線接続部を収納するための箱形のプールボックスを据え付け、このプールボックスの上に制御装置を設置して固定している。
【０００３】
制御装置をリニューアルする場合、制御装置及び制御装置と機器間、制御装置相互間の各配線を撤去する。ただし、工事期間とコストの削減及び工事時の騒音を低減するため、既設の配線ダクトや既設のプールボックス、シンダーコンクリートは撤去せず、そのまま使用している。
【０００４】
新しい制御装置を機械室に設置する場合、既設の制御装置と新設の制御装置の箱の大きさや底面の寸法は異なっていることが多いため、既設プールボックスに新設の制御装置を固定するために既設プールボックスと新設制御装置との間にアダプタとなる箱や台座（以下、これらを「アダプタプールボックス」と称する）を設置して、新設の制御装置を機械室に固定するようにしている。
【先行技術文献】
【特許文献】
【０００５】
【特許文献１】特開２０１１−６３４３４号公報
【発明の概要】
【発明が解決しようとする課題】
【０００６】
上述したように、既設制御装置と新設制御装置とは、箱の寸法や底面の寸法が異なるため、また、仕様により、制御装置の台数構成が異なることもある。従来、既設プールボックスの上部に既設プールボックスと同じサイズのアダプタプールボックスを設置する例が知られている。
【０００７】
しかし、既設プールボックスに新設の制御装置を据え付けるため、アダプタプールボックスの構造を、物件毎に、その都度設計しており、制御装置据え付け構成の設計に多大の時間を要するとともプールボックスの製作コストの増大を招いていた。
【０００８】
本発明の実施形態は上記の事情に鑑み、機械室に設置される制御装置をリニューアルする際、新設の制御装置の大きさに影響されずに柔軟に対応でき、設計時間の短縮が可能で安価に構成することができる制御装置の据付構造及びアダプタプールボックスを提供することを目的としている。
【課題を解決するための手段】
【０００９】
上記の目的を達成するため、制御装置の据付構造の実施態様は、機械室の床面に設けられ、既設の制御装置が取り付けられる既設プールボックスと、既設プールボックスの底面よりも奥行き幅及び横幅が狭く設定された底面部と、当該底面部から垂直方向に延出され既設プールボックスの壁面よりも高さ方向の寸法が大きく設定された壁面部と、当該壁面部の端部から底面部に対して略水平方向に延出された装置取付面部とから成るアダプタプールボックスと、を備え、既設の制御装置を新設の制御装置に変更する際には、既設のプールボックスの底面にアダプタプールボックスの底面部が固定され、アダプタプールボックスの装置取付面部に新設の制御装置が取り付けられる、ことを特徴としている。
【００１０】
また、上記の目的を達成するため、実施形態のアダプタプールボックスは、機械室の床面に設けられた既設プールボックスの底面よりも奥行き幅及び横幅が狭く設定され、かつ新設の制御装置の奥行き幅寸法よりも狭い幅を有する底面部と、当該底面部の一端から垂直方向に延出され既設プールボックスの壁面部よりも高さ方向の寸法が大きく設定される左右一対の壁面部と、各壁面部の他端から外方側に底面部に対して略水平に延出される装置取付面部とから構成され、既設プールボックスに取り付けられた既設の制御装置を新設の制御装置に変更する際には、底面部が既設のプールボックスの底面に固定されると共に、装置取付面部に新設の制御装置が取り付けられる、ことを特徴としている。
【図面の簡単な説明】
【００１１】
【図１】制御装置の据付構造の第１の実施形態を示す側断面図。
【図２】制御装置の据付構造の第１の実施形態を示す正面図。
【図３】制御装置の据付構造の第２の実施形態を示す側断面図。
【図４】アダプタプールボックスの実施形態を示す斜視図。
【図５】制御装置の据付構造の第３の実施形態を示す側断面図。
【図６】制御装置の据付構造の第３の実施形態を示す正面図。
【図７】制御装置の据付構造の第４の実施形態を示す側断面図。
【図８】制御装置の据付構造の第４の実施形態における台座の設置例を示す側断面図。
【図９】制御装置の据付構造の第４の実施形態における台座の他の設置例を示す側断面図。
【図１０】制御装置の据付構造の第５の実施形態を示す側断面図。
【図１１】制御装置の据付構造の第５の実施形態の変形例を示す側断面図。
【発明を実施するための形態】
【００１２】
以下、本発明の実施形態について説明する。なお、以下の各実施形態では、エレベータの制御装置を例に制御装置の据付構造及びアダプタプールボックスについて説明するが、制御装置はエレベータの制御装置に限定されるものではなく、床面に設置される制御装置全てに適用可能である。
【００１３】
《第１の実施形態》
図１は、制御装置の据付構造の第１の実施形態を示す側断面図、図２は、同正面図である。
【００１４】
図１に示すように、機械室床１には、既設のプールボックス２が設置され、アンカーボルト３で機械室床１に固定されている。機械室床１には、シンダーコンクリート４が打設されている。既設プールボックス２は、底面２Ａと、この底面２Ａから垂直方向に延出された壁面２Ｂと、この壁面２Ｂの端部から底面２Ａに対して略水平に延出された装置取付面２Ｃで構成されている。そして、リニューアル前においては、この既設プールボックス２の装置取付面２Ｃ上に既設の制御装置（図示せず）が載置され、装置固定ボルトにより固定されている。
【００１５】
既設の制御装置を新設の制御装置５に変更する際には、既設プールボックス２の底面２Ａにアダプタプールボックス６が載置され、アンカーボルト３によって共締め固定され、このアダプタプールボックス６上に新設の制御装置５が取り付けられるようになっている。
【００１６】
第１の実施形態におけるアダプタプールボックス６は、ＳＳ４００等の鋼材で形成され、既設プールボックスの底面２Ａにアンカーボルト３により固定される底面部６Ａと、この底面部６Ａから垂直方向に延出された壁面部６Ｂと、この壁面部６Ｂから内方側に延出された装置取付面部６Ｃとから構成されている。
【００１７】
ここで、底面部６Ａの奥行き幅Ｗ１及び横幅Ｗ４は、既設プールボックス２の底面２Ａの奥行き幅Ｗ２及び横幅Ｗ５よりも狭く、かつ新設の制御装置５の奥行き幅Ｗ３及び横幅Ｗ６と略同一幅寸法を有して設定されている。また、壁面部６Ｂは、底面部６Ａの各端部から垂直方向に延出された左右一対で構成され、その高さＨ１は既設プールボックス２の壁面２Ｂの高さＨ２よりも大きく設定されている。また、装置取付面部６Ｃは、各壁面部６Ｂの端部から内方側に底面部６Ａに対して略水平に延出されて構成されている。そして、既設の制御装置を新設の制御装置５に変更する際には、まず、配線を撤去し、既設の制御装置を既設プールボックス２から取り外した後、既設プールボックス２の底面２Ａにアダプタプールボックス６を載置してアンカーボルト３によって機械室床１に共締め固定する。次いで、このアダプタプールボックス６の装置取付面部６Ｃ上に新設の制御装置５を載せて装置固定ボルト７で固定すれば良い。
【００１８】
このように、第１の実施形態によれば、既設プールボックス２内に収まる底面部６Ａを有するアダプタプールボックス６を既設プールボックス２の底面２Ａに設置しアンカーボルト３にて固定することで、アダプタプールボックスを直接、機械室床１に固定することが可能となる。このように第１の実施形態によれば、機械室に設置される制御装置をリニューアルする際、新設の制御装置の大きさに影響されずに柔軟に対応でき、設計時間の短縮が可能で安価に構成することができる制御装置の据付構造及びアダプタプールボックスを提供することが可能になる。
【００１９】
《第２の実施形態》
図３、図４は、第２の実施形態を示している。なお、第１の実施形態の各部と対応する部分には、同じ符号が付してある。
【００２０】
第２の実施形態で特徴となるのは、アダプタプールボックス６の底面部６Ａの奥行き幅は、新設の制御装置５の奥行き幅よりも狭く、かつ、装置取付面部６Ｃは、各壁面部６Ｂの端部から外方側に底面部６Ａに対して略水平に延出されて構成されていることである。
【００２１】
すなわち、第２の実施形態のアダプタプールボックス６は、機械室床１に設けられた既設プールボックス２の底面２Ａの奥行き幅Ｗ２及び横幅Ｗ５よりも狭い奥行き幅Ｗ１及び横幅Ｗ４に設定され、かつ新設の制御装置５の奥行き幅寸法Ｗ３よりも狭い奥行き幅を有する底面部６Ａと、底面部６Ａの一端から垂直方向に延出され既設プールボックス２の壁面２Ｂの高さＨ２よりも高さ方向の寸法Ｈ１が大きく設定される左右一対の壁面部６Ｂと、各壁面部６Ｂの他端から外方側に底面部６Ａに対して略水平に延出される装置取付面部６Ｃとから構成されている。そして、既設の制御装置を新設の制御装置５に変更する際には、まず、配線を撤去し、既設の制御装置を既設プールボックス２から取り外した後、既設プールボックス２の底面２Ａにアダプタプールボックス６を載置してアンカーボルト３によって機械室床１に共締め固定する。次いで、このアダプタプールボックス６の装置取付面部６Ｃ上に新設の制御装置５を載せて装置固定ボルト７で固定すれば良い。このように、第２の実施形態によれば、既設プールボックス２内に収まるアダプタプールボックス６を既設プールボックス２の底面２Ａに設置し、アンカーボルト３にて固定し、新設制御装置の固定部の上部折り返しを外側に広げた構成とすることで、既設制御装置と底面寸法が同等、または大きな寸法の新設制御装置を、機械室床に直接固定することが可能となる。
【００２２】
このように第２の実施形態によれば、機械室に設置される制御装置をリニューアルする際、新設の制御装置の大きさに影響されずに柔軟に対応でき、設計時間の短縮が可能で安価に構成することができる制御装置の据付構造及びアダプタプールボックスを提供することが可能になる。
【００２３】
《第３の実施形態》
図５、図６は、第３の実施形態を示している。なお、第１の実施形態の各部と対応する部分には、同じ符号が付してある。
【００２４】
第３の実施形態は、アダプタプールボックス６の装置取付面部６Ｃに装置設置台座９が固定ボルト１０により取り付けられ、この装置設置台座９を介してアダプタプールボックス６に新設の制御装置５が取り付けられることを特徴としている。
【００２５】
図６の正面図に示すように、アダプタプールボックス６は既設プールボックス２の底面に収まっているが、新設の制御装置５を複数台（図６では３台）並べた場合、その横幅はアダプタプールボックス６を並べた横幅よりも小さい。このような場合に、新設の制御装置５とアダプタプールボックス６との間に新設の制御装置５の設置台数分の横幅サイズを有する装置設置台座９を介在させることにより、既設プールボックス２の設置台数に影響されることなく、新設の制御装置５を設置することが可能となる。このように第３の実施形態によれば、装置設置台座９を介してアダプタプールボックス６に新設の制御装置５を取り付けるように構成することで、アダプタプールボックス６の奥行き幅、横幅が新設の制御装置５の大きさと適合しない場合であっても新設の制御装置の大きさに影響されずに柔軟に対応でき、設計時間の短縮が可能で安価に構成することができる制御装置の据付構造及びアダプタプールボックスを提供することが可能になる。
【００２６】
《第４の実施形態》
図７、図８、図９は、第４の実施形態を示している。なお、第１の実施形態の各部と対応する部分には、同じ符号が付してある。
【００２７】
第４の実施形態では、機械室床１に設けられ、既設の制御装置が取り付けられる既設プールボックス２と、既設プールボックス２の底面２Ａに固定される一対の台座１１によってアダプタプールボックスを構成したことを特徴としている。
【００２８】
アダプタプールボックスを構成する各台座１１は、既設プールボックス２の底面２Ａにアンカーボルト３により固定される底面部１１Ａと、この底面部１１Ａの一端から垂直方向に延出され、高さ方向の寸法Ｈ１が既設プールボックス２の壁面２Ｂの高さＨ２よりも大きく設定された壁面部１１Ｂと、壁面部１１Ｂの端部から底面部１１Ａと同一方向に、かつ底面部１１Ａに対して略水平方向に延出された装置取付面部１１Ｃとから構成され、断面コ字状に形成されている。
【００２９】
そして、既設の制御装置を新設の制御装置５に変更する際には、まず、配線を撤去し、既設の制御装置を既設プールボックス２から取り外した後、既設プールボックス２の底面２Ａに各台座１１の壁面部１１Ｂを所定の間隔を置いて対向配置させた状態で底面部１１Ａを載置してアンカーボルト３によって機械室床１に共締め固定する。次いで、各台座１１の装置取付面部１１Ｃ上に新設の制御装置５を載せて装置固定ボルト７で固定すれば良い。
【００３０】
この場合、図８に示すように、新設の制御装置５の奥行き幅Ｗ３が小さい場合であっても、また、図９に示すように、新設の制御装置５の奥行き幅Ｗ３が大きい場合であっても、各台座１１の壁面部１１Ｂの所定の間隔を調整することで新設の制御装置５の奥行き幅Ｗ３の大きさの大小に影響されることがないので、据付作業が効率的となり、柔軟に対応することができる。また、新設の制御装置５の重量が大きい場合には、図７や図９に示すように、装置取付面部１１Ｃの面積を広くとることができるように台座１１を配置し、逆に、新設の制御装置５の重量が小さい場合には、図８に示すように、装置取付面部１１Ｃの面積を狭くするように台座１１を配置するができ、新設の制御装置５の大きさや重量に影響されることなく、柔軟に対応することが可能となる。このように第４の実施形態によれば、機械室に設置される制御装置をリニューアルする際、新設の制御装置の大きさに影響されずに柔軟に対応でき、設計時間の短縮が可能で安価に構成することができる制御装置の据付構造及びアダプタプールボックスを提供できる。
【００３１】
《第５の実施形態》
図１０、図１１は、第５の実施形態を示している。なお、第１の実施形態の各部と対応する部分には、同じ符号が付してある。
【００３２】
第５の実施形態のアダプタプールボックス１２は、機械室床１に設けられた既設プールボックス２の底面２Ａの奥行き幅Ｗ２及び横幅Ｗ５よりも狭い奥行き幅Ｗ１及び横幅Ｗ４に設定され、かつ新設の制御装置５の奥行き幅寸法Ｗ３よりも狭い奥行き幅を有する底面部１２Ａと、底面部１２Ａの端部から所定寸法内側部分から垂直方向に延出され既設プールボックス２の壁面２Ｂの高さＨ２よりも高さ方向の寸法Ｈ１が大きく設定される左右一対の壁面部１２Ｂと、各壁面部１２Ｂの他端から外方側に底面部１２Ａに対して略水平に延出される装置取付面部１２Ｃとから構成されている。
【００３３】
また、図１１に示す第５の実施形態の変形例では、図１０に示す例よりも装置取付面部１２Ｃの寸法が長く、既設のプールボックス２の壁面よりも外側に突出するように形成されている。これにより、新設の制御装置５の奥行き幅Ｗ３が広い場合でも、十分に装置設置スペースを取ることができる。このように第５の実施形態によれば、機械室に設置される制御装置をリニューアルする際、新設の制御装置の大きさに影響されずに柔軟に対応でき、設計時間の短縮が可能で安価に構成することができる制御装置の据付構造及びアダプタプールボックスを提供することができる。
【００３４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３５】
１：機械室床
２：既設のプールボックス
２Ａ：底面
２Ｂ：壁面
２Ｃ：装置取付面
３：アンカーボルト
６，１２：アダプタプールボックス
６Ａ，１１Ａ，１２Ａ：底面部
６Ｂ，１１Ｂ，１２Ｂ：壁面部
６Ｃ，１１Ｃ，１２Ｃ：装置取付面部
７：装置固定ボルト
９：装置取付台座
１１：台座
【要約】
【課題】新設の制御装置の大きさに影響されずに柔軟に対応でき、設計時間の短縮が可能で安価に構成することを可能にする。
【解決手段】機械室床１に設けられ、既設の制御装置が取り付けられる既設プールボックス２と、既設プールボックス２の底面２Ａよりも奥行き幅及び横幅が狭く設定された底面部６Ａと、底面部６Ａから垂直方向に延出され既設プールボックス２の壁面２Ｂよりも高さ方向の寸法が大きく設定された壁面部６Ｂと、壁面部６Ｂの端部から底面部６Ａに対して略水平方向に延出された装置取付面部６Ｃとから成るアダプタプールボックスと、を備え、既設の制御装置を新設の制御装置５に変更する際には、既設のプールボックス２の底面２Ａにアダプタプールボックス６の底面部６Ａが固定され、アダプタプールボックス６の装置取付面部６Ｃに新設の制御装置５が取り付けられる。
【選択図】図１【図１】
0005459738.tif 000002
【図２】
0005459738.tif 000003
【図３】
0005459738.tif 000004
【図４】
0005459738.tif 000005
【図５】
0005459738.tif 000006
【図６】
0005459738.tif 000007
【図７】
0005459738.tif 000008
【図８】
0005459738.tif 000009
【図９】
0005459738.tif 000010
【図１０】
0005459738.tif 000011
【図１１】
0005459738.tif 000012